(57)【要約】【課題】簡単な構造で大容量の熱交換及び断熱を実現できる収納装置を提供すること。【解決手段】筐体１１の内側空間１２に熱源１を収納する収納装置１０であって、筐体１１の側壁１３、天井１４及びドアを構成する構造材が、外壁材２１と、内壁材２２と、これらの外壁材及び内壁材に結合されて両壁材間に空気層２４を形成するブリッジ材とを備えてなる熱交換・断熱パネル２０であり、このパネルの上記空気層２４に外気を導入し流通可能とする熱交換ファン２９を有し、上記熱交換・断熱パネルの外壁材２１が繊維強化プラスチックにて構成され、この外壁材の外側表面に、熱線を反射するセラミックビーズが設けられたものである。【選択図】図３
2007214203.tif 000002
【特許請求の範囲】
【請求項１】
筐体の内側空間に熱源を収納する収納装置であって、
上記筐体は、外壁材と、内壁材と、これらの外壁材及び内壁材の両壁材間に空気層を備えてなる熱交換・断熱パネルを有し、
前記パネルの前記空気層に外気を導入可能な外気導入手段を有することを特徴とする収納装置。
【請求項２】
上記筐体の有する熱交換・断熱パネルの内壁材が相互に隙間なく接合されて、上記筐体の内側空間が密閉して構成されたことを特徴とする請求項１に記載の収納装置。
【請求項３】
上記筐体の有する熱交換・断熱パネルの外壁材が、繊維強化プラスチックにて構成されたことを特徴とする請求項１または２に記載の収納装置。
【請求項４】
上記筐体の有する熱交換・断熱パネルの外壁材の外側表面に、熱線を反射する熱線反射材が設けられたことを特徴とする請求項１乃至３のいずれかに記載の収納装置。
【請求項５】
上記筐体の有する熱交換・断熱パネルの内壁材が波形形状に形成されたことを特徴とする請求項１乃至４のいずれかに記載の収納装置。
【請求項６】
上記筐体の内側空間には、当該空間内の空気を循環する空気循環手段が設置されたことを特徴とする請求項１乃至５のいずれかに記載の収納装置。
【請求項７】
上記筐体の有する熱交換・断熱パネルの空気層に外気を導入可能とする外気導入手段の運転が、上記筐体の内側空間の温度と外気温度とに基づいて制御されることを特徴とする請求項１乃至６のいずれかに記載の収納装置。
【請求項８】
上記筐体の内側空間に空気調和装置の室内機が設置され、この空気調和装置の運転が、上記筐体の内側空間の温度と外気温度とに基づいて制御されることを特徴とする請求項１乃至７のいずれかに記載の収納装置。
【請求項９】
上記筐体の有する熱交換・断熱パネルの空気層が、上記外壁材及び内壁材の両壁材間に結合されたブリッジ材により形成されたことを特徴とする請求項１乃至８のいずれかに記載の収納装置。
【発明の詳細な説明】
【技術分野】
【０００１】
本発明は、熱交換・断熱機能を備えた収納装置に係り、特に屋外に設置される収納装置に関する。
【背景技術】
【０００２】
収納装置の筐体内に発熱機器を収納可能とし、この筐体の側面に、熱交換器を備えた冷却装置を取り付けたものが、特許文献１に開示されている。この収納装置では、冷却装置を運転させることにより、筐体の内側空間の温度上昇を抑制して、発熱機器の熱による損傷を防止している。
【０００３】
【特許文献１】特開２００３−２８９１９５号公報
【発明の開示】
【発明が解決しようとする課題】
【０００４】
ところが、上述の収納装置では、熱交換器を備えた冷却装置の構造が極めて複雑であるため、コストが上昇してしまう。
【０００５】
また、冷却装置は重量の大きな装置であるため、この冷却装置が取り付けられる筐体は充分な強度が要求される。従って、この筐体の重量も増大してしまう。このため、収納装置全体の重量が極めて大きくなり、組み立て作業を容易に実施することができない。
【０００６】
また、筐体の側方に冷却装置が突設される構造であるため、収納装置の美観が低下してしまう。更に、吐出した冷却装置が人に悪戯されるなど、人的セキュリティを充分に確保できない場合がある。
【０００７】
本発明の目的は、上述の事情を考慮してなされたものであり、簡単な構造で大容量の熱交換及び断熱を実現できる収納装置を提供することにある。
【課題を解決するための手段】
【０００８】
請求項１に記載の発明は、筐体の内側空間に熱源を収納する収納装置であって、上記筐体は、外壁材と、内壁材と、これらの外壁材及び内壁材の両壁材間に空気層を備えてなる熱交換・断熱パネルを有し、このパネルの上記空気層に外気を導入可能とする外気導入手段を有することを特徴とするものである。
【０００９】
請求項２に記載の発明は、請求項１に記載の発明において、上記筐体の有する熱交換・断熱パネルの内壁材が相互に隙間なく接合されて、上記筐体の内側空間が密閉して構成されたことを特徴とするものである。
【００１０】
請求項３に記載の発明は、請求項１または２に記載の発明において、上記筐体の有する熱交換・断熱パネルの外壁材が、繊維強化プラスチックにて構成されたことを特徴とするものである。
【００１１】
請求項４に記載の発明は、請求項１乃至３のいずれかに記載の発明において、上記筐体の有する熱交換・断熱パネルの外壁材の外側表面に、熱線を反射する熱線反射材が設けられたことを特徴とするものである。
【００１２】
請求項５に記載の発明は、請求項１乃至４のいずれかに記載の発明において、上記筐体の有する熱交換・断熱パネルの内壁材が波形形状に形成されたことを特徴とするものである。
【００１３】
請求項６に記載の発明は、請求項１乃至５のいずれかに記載の発明において、上記筐体の内側空間には、当該空間内の空気を循環する空気循環手段が設置されたことを特徴とするものである。
【００１４】
請求項７に記載の発明は、請求項１乃至６のいずれかに記載の発明において、上記筐体の有する熱交換・断熱パネルの空気層に外気を導入可能とする外気導入手段の運転が、上記筐体の内側空間の温度と外気温度とに基づいて制御されることを特徴とするものである。
【００１５】
請求項８に記載の発明は、請求項１乃至７のいずれかに記載の発明において、上記筐体の内側空間に空気調和装置の室内機が設置され、この空気調和装置の運転が、上記筐体の内側空間の温度と外気温度とに基づいて制御されることを特徴とするものである。
【００１６】
請求項９に記載の発明は、請求項１乃至８のいずれかに記載の発明において、上記筐体の有する熱交換・断熱パネルの空気層が、上記外壁材及び内壁材の両壁材間に結合されたブリッジ材により形成されたことを特徴とする。
【発明の効果】
【００１７】
請求項１、７、８または９に記載の発明によれば、筐体の有する熱交換・断熱パネルの空気層に、外気導入手段により外気を導入し流通させることにより、筐体の内側空間に設置された熱源の熱を上記空気層の外気と熱交換し、また、上記空気層に外気を導入しないときには当該空気層を断熱層とする。このように、筐体(側壁、天板、ドアなど)が、熱交換及び断熱機能を有する熱交換・断熱パネルを有することから、簡単かつ安価な構造で、大容量の熱交換及び断熱を実現できる。
【００１８】
また、筐体が、外壁材、ブリッジ材及び内壁材からなる３層構造にて構成されたことから、筐体の強度を充分に確保でき、収納装置の耐震性及び耐風性を向上させることができる。
【００１９】
更に、筐体が、熱交換及び断熱機能を有する熱交換・断熱パネルにて構成されたので、筐体の外側に熱交換器が突出して存在ない。このため、収納装置の外観に突出部分がなく美観が良好になると共に、突出した熱交換器を悪戯されること等がなく人的セキュリティを良好に確保できる。
【００２０】
請求項２に記載の発明によれば、筐体の有する熱交換・断熱パネルの内壁材が相互に隙間なく接合されて、筐体の内側空間が密閉して構成されたことから、収納装置の防水性、防塵性及び防塩性を良好に確保できる。
【００２１】
請求項３に記載の発明によれば、熱交換・断熱パネルの外壁材が、繊維強化プラスチックにて構成されたので、この外壁材自体も断熱機能を有する。また、この外壁材ひいては筐体を軽量化でき、収納装置を支持する基礎の構造を簡素化できると共に、重機を用いることなく収納装置を組み立てることができる。
【００２２】
請求項４に記載の発明によれば、筐体の有する熱交換・断熱パネルの外壁材の外側表面に、熱線を反射する熱線反射材が設けられたことから、収納装置を屋外に設置した場合、熱線反射材が太陽熱を反射して遮熱するので、筐体の内側空間が太陽熱により温度上昇することを回避できる。
【００２３】
請求項５に記載の発明によれば、筐体の有する熱交換・断熱パネルの内壁材が波形形状に形成されたことから、この内壁材の表面積が広くなり、この内壁材が筐体の内側空間及び熱交換・断熱パネルの空気層に接触する面積が増大する。従って、筐体の内側空間に設置された熱源からの熱を上記空気層へ効率的に放熱することができる。
【００２４】
請求項６に記載の発明によれば、筐体の内側空間の空気が空気循環手段により循環されることで、当該空間内に設置された熱源と、筐体の有する熱交換・断熱パネルの空気層を流れる外気との熱交換を促進することができる。
【発明を実施するための最良の形態】
【００２５】
以下、本発明を実施するための最良の形態を、図面に基づき説明する。
【００２６】
［Ａ］第１の実施の形態（図１〜図８）
図１は、本発明に係る収納装置の第１の実施の形態を示す斜視図である。図２は、図１の収納装置において一部を破断して示す斜視図である。図３は、図１の収納装置の側断面図である。
【００２７】
これらの図１〜図３に示す収納装置１０は、屋外に設置されて、通信装置などの熱源１を筐体１１の内側空間１２に収納するものである。上記筐体１１は、側壁１３、天井１４、側壁１３に設けられたドア１５、床１６及び屋根１７を有して構成され、基台１８に設置されて支持される。これらの側壁１３、天井１４、ドア１５及び床１６に囲まれて、上記内側空間１２が構成される。
【００２８】
筐体１１のうち、側壁１３、天井１４及びドア１５を構成する構造体は、図４に示す熱交換・断熱パネル２０である。この熱交換・断熱パネル２０は、外壁材２１と、内壁材２２と、これらの外壁材２１及び内壁材２２に結合されて、これらの外壁材２１と内壁材２２との間に空気層２４を形成するブリッジ材２３と、を有してなる。このように、側壁１３、天井１４及びドア１５が外壁第２１、内壁材２２及びブリッジ材２３の３層構造からなる熱交換・断熱パネル２０にて構成されたことで、収納装置１０の耐震性及び耐風性が保持される。
【００２９】
上記外壁材２１及びブリッジ材２３は、断熱性及び軽量性に優れた繊維強化プラスチック（ＦＲＰ；Fiber  Reinforced  Plastic）にて構成される。このうち、外壁材２１の外側表面に、赤外線等の熱線を約９０％以上を反射する熱線反射材としてのセラミックビーズが設けられる。このセラミックビーズは、図５に示すように、外壁材２１を紫外線から保護するために設けられるゲルコート層２５に混入させたり、外壁材２１の外表面に直接塗布させたり、または外壁材２１の外表面に貼着されるシートに貼着前に塗布させておくなどの方法で、外壁材２１の外表面に設けられる。本実施の形態では、セラミックビーズはゲルコート層２５に混入されている。屋根１７の外表面にも、同様にしてセラミックビーズが設けられる。これらのセラミックビーズにより太陽熱が遮熱されて、筐体１１の内側空間１２が太陽熱により温度上昇する事態が回避される。
【００３０】
上記内壁材２２は、熱伝導性の良好な材質、例えばアルミニウム材にて構成される。更に、この内壁材２２は、図４に示すように波形形状に加工されて表面積が拡大される。これにより、側壁１３、天井１４及びドア１５における各熱交換・断熱パネル２０の波形形状の内壁材２２は、当該熱交換・断熱パネル２０の空気層２４と筐体１１の内側空間１２に接触する面積が増大して、後述のごとく、これらの空気層２４と内側空間１２（図３）との間でなされる熱交換を効率的に実施する。
【００３１】
筐体１１の前記床１６も、図３に示すように、側壁１３、天井１４及びドア１５を構成する熱交換・断熱パネル２０の内壁材２２と同様に構成される。これら側壁１３及び天井１４の内壁材２２と筐体１１の床１６とは隙間なく接合され、更に、側壁１３とドア１５の両内壁材２２は、ドア１５が閉じられたときに隙間なく接触して、筐体１１の内側空間１２は密閉空間として構成される。これにより、収納装置１０の防水性、防塵性及び防塩性が確保される。
【００３２】
筐体１１の前記屋根１７は、天井１４の上方に配置されて雨や雪から収納装置１０を保護するものである。この屋根１７と、天井１４における熱交換・断熱パネル２０の外壁材２１との間に外気導入空間２６が形成される。また、屋根１７は、側壁１３における熱交換・断熱パネル２０の外壁材２１に連設して設けられ、この外壁材２１との境界付近に、外気導入空間２６へ外気を導く外気取込口２７が形成される。尚、側壁１３における熱交換・断熱パネル２０の外壁材２１下端に、当該熱交換・断熱パネル２０の空気層２４に連通する外気排出口２８が形成されている。
【００３３】
天井１４における熱交換・断熱パネル２０の空気層２４には、外気導入手段としての熱交換ファン２９が設置されている。この熱交換ファン２９は、外気取込口２７から外気導入空間２６内へ外気を導入し、この外気を吸い込み、吸込み方向と直交する方向に外気を吐出して、側壁１３、天井１４及びドア１５における各熱交換・断熱パネル２０の空気層２４内へ外気を導き流通可能とするものである。この空気層２４内の外気は、側壁１３の外気排出口２８から排出される。側壁１３、天井１４及びドア１５における各熱交換・断熱パネル２０の空気層２４内を外気が流通することにより、筐体１１の内側空間１２内に設置された熱源１の熱が上記空気層２４を流れる外気と熱交換される。熱交換ファン２９の停止時には、側壁１３、天井１４及びドア１５における各熱交換・断熱パネル２０の空気層２４内に外気が流れず、当該空気層２４は断熱層として機能する。
【００３４】
筐体１１の内側空間１２には、天井１４における熱交換・断熱パネル２０の内壁材２２に、空気循環手段としての循環ファン３０が設置されている。また、この内側空間１２には、循環ファン３０の下方で熱源１を囲む位置に空気案内板３１が配置されている。上記循環ファン３０は、常時または適宜運転される。この循環ファン３０は、空気案内板３１の内側で熱源１により加熱された空気を吸い込み、この空気を吸込み方向と直交する方向に吐き出して、側壁１３、天井１４及びドア１５における各熱交換・断熱パネル２０の内壁材２２と上記空気案内板３１との間に流動させて、内側空間１２内の空気を循環させる。このようにして、熱源１で加熱された空気が内側空間１２内で循環され、側壁１３、天井１４及びドア１５の内壁材２２と上記空気案内板３１との間を強制的に流れることで、側壁１３、天井１４及びドア１５における各熱交換・断熱パネル２０の空気層２４を流れる外気と内側空間１２内の空気との熱交換が促進される。
【００３５】
筐体１１の内側空間１２には、例えば空気案内板３１の内面に空気調和装置３２の室内機３３が設置されている。空気調和装置３２の室外機３４は、例えば外気導入空間２６内において屋根１７の内面に設置され、または側壁１３、天井１４におけるいずれかの熱交換・断熱パネル２０の空気層２４内に設置され、または基台１８内に設置される。本実施形態では、室外機３４は、外気導入空間２６内において屋根１７の内面に設置されている。この空気調和装置３２は、側壁１３、天井１４及びドア１５における各熱交換・断熱パネル２０の空気層２４内を流れる外気と筐体１１の内側空間１２内の空気との熱交換によっても、当該内側空間１２内の温度を充分に冷却できない場合に運転されて、この内側空間１２内の空気を冷却する。この際、熱交換ファン２９は停止されて、側壁１３、天井１４及びドア１５における各熱交換・断熱パネル２０の空気層２４は断熱層として機能する。
【００３６】
上述の熱交換ファン２９と空気調和装置３２の運転・停止は、図６及び図７に示すコントローラ３５によって、外気温度Ｔ１と内側空間１２の内側空間温度Ｔ３と内側空間１２の許容上限温度Ｔ２とに基づいて制御される。ここで、上記外気温度Ｔ１は、側壁１３における熱交換・断熱パネル２０の外壁材２１上で、外気取込口２７付近に設置された温度センサＳ１により測定される。また、上記内側空間温度Ｔ３は、内側空間１２内において例えば空気案内板３１の内面に設置された温度センサＳ３により測定される。また、上記許容上限温度Ｔ２は、熱源１である通信機器に熱による損傷を生じさせることなく、この通信機器を安全に運転できる温度であり、例えば３５℃である。
【００３７】
熱交換ファン２９と空気調和装置３２を制御するコントローラ３５は、図８に示すように、所定時間毎に、温度センサＳ１を用いて外気温度Ｔ１を測定し（ＳＰ１）、温度センサＳ３を用いて内側空間温度Ｔ３を測定して（ＳＰ２）、これらの外気温度Ｔ１と内側空間温度Ｔ３の温度差ΔＴを算出する（ＳＰ３）。
【００３８】
この温度差ΔＴが、側壁１３、天井１４及びドア１５における各熱交換・断熱パネル２０の空気層２４を流れる外気と筐体１１の内側空間１２内の空気との間で熱交換可能な設定値ΔＴ０以上であり（ＳＰ４）、且つ外気温度Ｔ１が内側空間１２の許容上限温度Ｔ２以下であれば、コントローラ３５は、熱交換ファン２９を運転させ（ＳＰ５）、空気調和装置３２を停止する（ＳＰ６）。これにより、内側空間１２内の熱源１から発生した熱を、側壁１３、天井１４及びドア１５における各熱交換・断熱パネル２０の空気層２４を流れる外気と熱交換させることができる。従って、内側空間１２内を許容上限温度Ｔ２以下の温度に維持することができる。上述の運転は主に春、秋、冬に実施される。
【００３９】
上記温度差ΔＴが設定値ΔＴ０以下の場合には（ＳＰ７）、たとえ外気温度Ｔ１が内側空間１２の許容上限温度Ｔ２よりも低い場合であっても、コントローラ３５は熱交換ファン２９を停止させ（ＳＰ８）、空気調和装置３２を運転させる（ＳＰ９）。これにより、筐体１１の内側空間１２は、空気調和装置３２により許容上限温度Ｔ２以下の温度に維持される。また、側壁１３、天井１４及びドア１５における各熱交換・断熱パネル２０の空気層２４は断熱層として機能して、内側空間１２内の冷気を大気中へ逃さない働きをする。このような運転は主に真夏時に実施される。
【００４０】
また、外気温度Ｔ１が規定値（つまり内側空間１２の許容上限温度Ｔ２）以上のときには（ＳＰ１０）、コントローラ３５は熱交換ファン２９を停止させ（ＳＰ１１）、空気調和装置３２を運転させる（ＳＰ１２）。これにより、筐体１１の内側空間１２は、空気調和装置３２により許容上限温度Ｔ２以下の温度に維持される。また、側壁１３、天井１４及びドア１５における各熱交換・断熱パネル２０の空気層２４は断熱層として機能して、内側空間１２内の冷気を大気中へ逃さない働きをする。このような運転は主に真夏に実施される。
【００４１】
尚、筐体１１の内側空間１２内の温度を上昇させたい場合にも、熱交換ファン２９を停止して、側壁１３、天井１４及びドア１５における各熱交換・断熱パネル２０の空気層２４を断熱層として機能させることが可能である。
【００４２】
以上のように構成されたことから、上記実施の形態によれば、次の効果（１）〜（８）を奏する。
【００４３】
（１）筐体１１の側壁１３、天井１４及びドア１５における各熱交換・断熱パネル２０の空気層２４に、熱交換ファン２９により外気を導入し流通させることによって、筐体１１の内部空間１２に設置された熱源１の熱を上記空気層２４の外気と熱交換し、また、上記空気層２４に外気を導入しないときには当該空気層２４を断熱層とする。このように、筐体１１の側壁１３、天井１４及びドア１５を構成する構造材が、熱交換及び断熱機能を有する熱交換・断熱パネル２０にて構成されたことから、簡単な安価な構造で、大容量の熱交換及び断熱を実現できる。この結果、空気調和装置３２における空調エネルギーの使用量を大幅に削減することができる。
【００４４】
（２）筐体１１の側壁１３、天井１４及びドア１５を構成する構造材が、外壁材２１、ブリッジ材２３及び内壁材２２からなる３層構造にて構成されたことから、筐体１１の側壁１３、天井１４及びドア１５の強度を充分に確保でき、収納装置１０の耐震性及び耐風性を向上させることができる。
【００４５】
（３）筐体１１の側壁１３、天井１４及びドア１５を構成する構造材が、熱交換及び断熱機能を有する熱交換・断熱パネル２０にて構成されたので、筐体１１の外側に熱交換器が突出して存在しない。このため、収納装置１０の外観に突出部分がなく美観が良好になると共に、吐出した熱交換器などを悪戯されること等がなく人的セキュリティを良好に確保できる。
【００４６】
（４）筐体１１の側壁１３及び天井１４における各熱交換・断熱パネル２０の内壁材２２と筐体１１の床１６とが隙間なく接合されて、筐体１１の内部空間１２が密閉して構成されたことから、収納装置１０の防水性、防塵性及び防塩性を良好に確保できる。
【００４７】
（５）筐体１１の側壁１３、天井１４及びドア１５における各熱交換・断熱パネル２０の外壁材２１と筐体１１の屋根１７とが、繊維強化プラスチック（ＦＲＰ）にて構成されたので、これらの外壁材２１及び屋根１７自体も断熱機能を有する。また、これらの外壁材２１及び屋根１７ひいては筐体１１を軽量化でき、収納装置１０を支持する基台１８及び基礎の構造を簡素化できると共に、重機を用いることなく収納装置１０を組み立てることができる。
【００４８】
（６）筐体１１の側壁１３、天井１４及びドア１５における各熱交換・断熱パネル２０の外壁材２１と筐体１１の屋根１７との外側表面に、熱線を反射するセラミックビーズが設けられたことから、収納装置１０を屋外に設置した場合に、セラミックビーズが太陽熱を反射して遮熱するので、筐体１１の内側空間１２が太陽熱により温度上昇する事態を回避できる。
【００４９】
（７）筐体１１の側壁１３、天井１４及びドア１５における各熱交換・断熱パネル２０の内壁材２２が波形形状に形成されたことから、この内壁材２２の表面積が広くなり、この内壁材２２が筐体１１の内側空間１２及び熱交換・断熱パネル２０の空気層２４に接触する面積が増大する。従って、筐体１１の内側空間１２に設置された熱源１からの熱を上記空気層２４へ効率的に放熱することができる。
【００５０】
（８）筐体１１の内側空間１２の空気が循環ファン３０により循環されることで、当該内側空間１２内に設置された熱源１と、側壁１３、天井１４及びドア１５における各熱交換・断熱パネル２０の空気層２４を流れる外気との熱交換を促進することができる。
【００５１】
［Ｂ］第２の実施の形態（図９）
図９は、本発明に係る収納装置の第２の実施の形態を示す側断面図である。この第２の実施の形態において、前記第１の実施の形態と同様な部分は、同一の符号を付すことにより説明を省略する。
【００５２】
この実施の形態の収納装置４０が第１の実施の形態の収納装置１０と異なる主な点は、床４１が外壁材２１、内壁材２２及び、これら外壁材２１と内壁材２２との間に空気層２４を形成するブリッジ材２３を備えてなる熱交換・断熱パネル２０から構成され、この床４１の空気層２４内に熱交換ファン２９が設置されたことである。従って、基台１８に外気取込口２７が形成され、この基台１８内が外気導入空間２６となり、また、外気排出口２８は、側壁１３における熱交換・断熱パネル２０の外壁材２１と、天井１４における熱交換断熱パネル２０の外壁材２１との境界付近に形成される。また、空気調和装置３２の室外機３４は、例えば基台１８内に設置される。
【００５３】
この実施の形態の収納装置４０においては、筐体１１の側壁１３、天井１４、ドア１５及び床１６が熱交換・断熱パネル２０にて構成され、筐体１１の内側空間１２内を循環する空気は、側壁１３、ドア１５及び床１６における各熱交換・断熱パネル２０の空気層２４内を、熱交換ファン２９の作用で流れる外気と熱交換可能とされる。また、熱交換ファン２９の停止時には、側壁１３、天井１４、ドア１５及び床１６における熱交換・断熱パネル２０の空気層２４が断熱層として機能する。上記熱交換ファン２９と空気調和装置３２の運転・停止は、前記実施形態と同様にしてコントローラ３５により制御される。従って、本実施の形態の収納装置４０においても、前記実施の形態の効果（１）〜（８）と同様な効果を奏する。
【産業上の利用可能性】
【００５４】
以上、本発明を上記両実施の形態に基づいて説明したが、本発明はこれに限定されるものではない。例えば、本実施の形態の収納装置１０、４０は、屋外に設置されて通信装置などの熱源１を収納するものを述べたが、工場内に設置されて、塵埃や塩分を嫌う装置や機器を収納するものでもよく、また、工事現場などに設置されて、工事現場における装置や機器を収納するものでもよい。更に、収納装置１０、４０は、塵埃や塩分を嫌い温度管理が必要な倉庫や、塵埃や塩分を嫌い温度管理が必要な、人または動物のための小屋としても利用可能である。
【図面の簡単な説明】
【００５５】
【図１】本発明に係る収納装置の第１の実施の形態を示す斜視図である。
【図２】図１の収納装置において一部を破断して示す斜視図である。
【図３】図１の収納装置の側断面図である。
【図４】図１における構造材としての熱交換・断熱パネルを示し、（Ａ）が正面図、（Ｂ）が側面図、（Ｃ）が平面図である。
【図５】図４の熱交換・断熱パネルにおける外壁材を示す断面図である。
【図６】図３の収納装置の構造を簡略して示す構成図である。
【図７】図３の収納装置の制御系を示すブロックである。
【図８】図６及び図７のコントローラが実行する動作手順を示すフローチャートである。
【図９】本発明に係る収納装置の第２の実施の形態を示す側断面図である。
【符号の説明】
【００５６】
１  熱源
１０  収納装置
１１  筐体
１２  内側空間
２０  熱交換・断熱パネル
２１  外壁材
２２  内壁材
２３  ブリッジ材
２４  空気層
２５  コルゲート層
２９  熱交換ファン（外気導入手段）
３０  循環ファン（空気循環手段）
３２  空気調和装置
３３  室内機
３５  コントローラ
４０  収納装置
Ｔ１  外気温度
Ｔ３  内側空間温度
【図１】
2007214203.tif 000003
【図２】
2007214203.tif 000004
【図３】
2007214203.tif 000005
【図４】
2007214203.tif 000006
【図５】
2007214203.tif 000007
【図６】
2007214203.tif 000008
【図７】
2007214203.tif 000009
【図８】
2007214203.tif 000010
【図９】
2007214203.tif 000011